(57)【要約】【課題】吊戸棚の内部構造を複雑化することなく、昇降棚を安定して、かつ安全に昇降させることができる昇降棚装置を提供すること。【解決手段】吊戸棚３の下面に設けられ、該吊戸棚３の下方において昇降棚５を昇降自在に支持する昇降棚装置１であって、上端が前記吊戸棚３の下面に枢着されるとともに、下端に前記昇降棚５が枢着された複数のアーム８，９からなるとともに、該複数のアーム８，９は互いに交差しないように配置され、前記昇降棚５を略水平に維持した状態で昇降自在に支持する。【選択図】図１
2007175333.tif 000002
【特許請求の範囲】
【請求項１】
吊戸棚の下面に設けられ、該吊戸棚の下方において昇降棚を昇降自在に支持する昇降棚装置であって、
上端が前記吊戸棚の下面に枢着されるとともに、下端に前記昇降棚が枢着された複数のアームからなるとともに、該複数のアームは互いに交差しないように配置され、前記昇降棚を略水平に維持した状態で昇降自在に支持することを特徴とする昇降棚装置。
【請求項２】
前記昇降棚は、該昇降棚を支持する支持体を介して前記複数のアームの下端に枢着されるとともに、前記昇降棚は該支持体に対して前後方向に摺動可能に取り付けられていることを特徴とする請求項１に記載の昇降棚装置。
【請求項３】
前記複数のアームの回動に伴って前記昇降棚を前方または後方に摺動させる昇降棚連動手段が設けられていることを特徴とする請求項２に記載の昇降棚装置。
【請求項４】
前記吊戸棚の下面に、該吊戸棚の下方を照らす照明装置が設けられるとともに、前記昇降棚の前後幅が前記吊戸棚の下面の前後幅よりも短寸とされており、前記昇降棚は、前記吊戸棚の下面に近接する非使用位置に位置した状態において、前記照明装置の後方または前方に退避可能であることを特徴とする請求項２または３に記載の昇降棚装置。
【請求項５】
前記複数のアームを上下方向に複数連結し、前記昇降棚を上下方向に複数段設けるとともに、上段側及び下段側の複数のアームを連動させるアーム連動手段が設けられていることを特徴とする請求項１ないし４のいずれかに記載の昇降棚装置。
【請求項６】
前記昇降棚が上昇する方向に前記複数のアームを回動付勢する付勢手段が設けられていることを特徴とする請求項１ないし５のいずれかに記載の昇降棚装置。
【請求項７】
前記吊戸棚の前面板の下部を前記吊戸棚の下面よりも下方に延設し、前記昇降棚が前記吊戸棚の下面に近接する非使用位置に位置した状態において、前記昇降棚装置の前方側が前記前面板により覆われるようにしたことを特徴とする請求項１ないし６のいずれかに記載の昇降棚装置。
【請求項８】
前記複数のアームは互いに略平行に配置されていることを特徴とする請求項１ないし７のいずれかに記載の昇降棚装置。
【発明の詳細な説明】
【技術分野】
【０００１】
本発明は、吊戸棚の下面に設けられ、該吊戸棚の下方において昇降棚を昇降自在に支持する昇降棚装置に関する。
【背景技術】
【０００２】
従来、この種の昇降棚装置としては、例えば吊戸棚本体内に通じる孔を吊戸棚の下面に設け、この孔より吊戸棚本体内部にかけて一対のガイド部を設けるとともに、孔部を通して棚部（昇降棚）を昇降自在に支持する支持部（アーム）が吊戸棚本体内部に通されており、この支持部の上部に設けられた弾性突起部が前記ガイド部に設けられた穴に嵌り込むことにより、棚部が上方位置及び下方位置にて保持されるようになっている（例えば、特許文献１参照）。
【０００３】
また、棚部材の左右両側に長脚と短脚とで構成された吊設脚の上端が、台所に設置された収納棚等に取付部材を介して取り付けられており、棚部材に設置された長脚と取付部材に設置された長脚とがＸ字型に交差し、該交点が回動自在に支受されていることで、棚部材が昇降自在に支持されているものがある（例えば、特許文献２参照）。
【０００４】
【特許文献１】特開２００５−１４４０６４号公報（第３頁、第１図）
【特許文献２】特開２００３−３３２３６号公報（第３頁、第１図）
【発明の開示】
【発明が解決しようとする課題】
【０００５】
しかしながら、特許文献１に記載の昇降棚装置にあっては、棚部を上昇させると、支持部が吊戸棚本体内部に入り込む構造になっているため、吊戸棚の内部構造が複雑になるとともに、収納スペースが占有されてしまうといった問題があった。
【０００６】
また、特許文献２に記載の昇降棚装置にあっては、棚部材に設置された長脚（アーム）と取付部材に設置された長脚（アーム）とがＸ字型に交差しているため、棚部材（棚板）を昇降させる際に、使用者が誤って長脚同士がＸ字型に交差している交点近傍に指等を挟む虞があるという問題を有していた。
【０００７】
本発明は、このような問題点に着目してなされたもので、吊戸棚の内部構造を複雑化することなく、昇降棚を安定して、かつ安全に昇降させることができる昇降棚装置を提供することを目的とする。
【課題を解決するための手段】
【０００８】
前記課題を解決するために、本発明の請求項１に記載の昇降棚装置は、
吊戸棚の下面に設けられ、該吊戸棚の下方において昇降棚を昇降自在に支持する昇降棚装置であって、
上端が前記吊戸棚の下面に枢着されるとともに、下端に前記昇降棚が枢着された複数のアームからなるとともに、該複数のアームは互いに交差しないように配置され、前記昇降棚を略水平に維持した状態で昇降自在に支持することを特徴としている。
この特徴によれば、昇降棚を昇降させる際に複数のアームが交差せずに回動するので、使用者が指をアーム間に挟む虞も少なく、万一指を挟んだとしても、アーム同士が平行に配置された状態なので、強い力が指に加わることがない。
【０００９】
本発明の請求項２に記載の昇降棚装置は、請求項１に記載の昇降棚装置であって、
前記昇降棚は、該昇降棚を支持する支持体を介して前記複数のアームの下端に枢着されるとともに、前記昇降棚は該支持体に対して前後方向に摺動可能に取り付けられていることを特徴としている。
この特徴によれば、昇降棚に対する複数のアームの下端の枢着位置が固定されることがないので、昇降棚の前後幅やアームの回動範囲等が制限されることを極力回避することができるばかりか、昇降棚を使用者が所望する位置まで前後移動させることができる。
【００１０】
本発明の請求項３に記載の昇降棚装置は、請求項２に記載の昇降棚装置であって、
前記複数のアームの回動に伴って前記昇降棚を前方または後方に摺動させる昇降棚連動手段が設けられていることを特徴としている。
この特徴によれば、アームの回動が昇降棚連動手段を介して昇降棚に伝達されることで、昇降棚が昇降に応じて前方または後方に摺動して所定位置まで移動するため、使用者が手動で昇降棚を移動させる手間が不要となる。
【００１１】
本発明の請求項４に記載の昇降棚装置は、請求項２または３に記載の昇降棚装置であって、
前記吊戸棚の下面に、該吊戸棚の下方を照らす照明装置が設けられるとともに、前記昇降棚の前後幅が前記吊戸棚の下面の前後幅よりも短寸とされており、前記昇降棚は、前記吊戸棚の下面に近接する非使用位置に位置した状態において、前記照明装置の後方または前方に退避可能であることを特徴としている。
この特徴によれば、昇降棚が非使用位置に位置したときに、昇降棚が照明装置の前方または後方に退避させることで、昇降棚により照明装置からの光が遮られることを防止できる。
【００１２】
本発明の請求項５に記載の昇降棚装置は、請求項１ないし４のいずれかに記載の昇降棚装置であって、
前記複数のアームを上下方向に複数連結し、前記昇降棚を上下方向に複数段設けるとともに、上段側及び下段側の複数のアームを連動させるアーム連動手段が設けられていることを特徴としている。
この特徴によれば、アーム連動手段によって上段と下段のアームが同時に回動されるので、複数の昇降棚を容易に昇降できる。
【００１３】
本発明の請求項６に記載の昇降棚装置は、請求項１ないし５のいずれかに記載の昇降棚装置であって、
前記昇降棚が上昇する方向に前記複数のアームを回動付勢する付勢手段が設けられていることを特徴としている。
この特徴によれば、昇降棚の昇降を付勢手段が補助するようになり、使用者が力を入れなくても昇降棚を容易に昇降できるようになる。
【００１４】
本発明の請求項７に記載の昇降棚装置は、請求項１ないし６のいずれかに記載の昇降棚装置であって、
前記吊戸棚の前面板の下部を前記吊戸棚の下面よりも下方に延設し、前記昇降棚が前記吊戸棚の下面に近接する非使用位置に位置した状態において、前記昇降棚装置の前方側が前記前面板により覆われるようにしたことを特徴としている。
この特徴によれば、非使用位置において昇降棚の前方側が前面板により覆われるので、吊戸棚の見栄えが損なわれることがない。
【００１５】
本発明の請求項８に記載の昇降棚装置は、請求項１ないし７のいずれかに記載の昇降棚装置であって、
前記複数のアームは互いに略平行に配置されていることを特徴としている。
この特徴によれば、複数のアームが平行リンクとして構成されているので、昇降棚をほぼ水平に維持したまま安定して昇降させることができる。
【発明を実施するための最良の形態】
【００１６】
本発明に係る昇降棚装置を実施するための最良の形態を実施例に基づいて以下に説明する。
【実施例１】
【００１７】
本発明の実施例を図面に基づいて説明すると、先ず図１は、実施例１における昇降棚装置を示す斜視図であり、図２は、実施例１における昇降棚装置を示す正面図であり、図３は、実施例１における昇降棚が降下した状態を示すＡ−Ａ縦断側面図であり、図４は、実施例１における昇降棚が上昇する途中の状態を示す縦断側面図であり、図５は、実施例１における昇降棚が非使用位置に位置した状態を示す縦断側面図である。以下、図３から図５の紙面左側を昇降棚装置の正面側（前方側）として説明する。
【００１８】
図１の符号１は、本発明の適用された昇降棚装置であり、この昇降棚装置１は、台所に配置されるキッチン台（図示略）の上方の壁面２（図３参照）または天井面（図示略）等に設置される吊戸棚３の底板４（図３参照）の下面に取り付けられている。この昇降棚装置１は、台所の使用者が調理器具や食器や調味料の入った容器などを一時的に載置することができる昇降棚としての２段の棚板５，６と、これら棚板５，６の左右端側にそれぞれ配置され、上段の棚板５を昇降自在に支持する前後一対の上アーム８，９及び下段の棚板６を昇降自在に支持する前後一対の下アーム１０，１１と、から主に構成されている。
【００１９】
尚、本実施例における棚板５，６の前後幅は、底板４の前後幅の約半分の長さに形成されているとともに、上アーム８，９、下アーム１０，１１の長手幅は、底板４の前後幅よりも短寸に形成されており、後述する非使用位置において、底板４の下面に近接する位置にコンパクトに折り畳まれて収容されるようになっている。
【００２０】
図１〜図３に示すように、昇降棚装置１は、上方側に取付部材７を備えており、この取付部材７がネジ（図示略）等を用いて吊戸棚３の底板４下面に取り付けられることで、昇降棚装置１が吊戸棚３に固定されている。この取付部材７の後部には、上段の棚板５よりも上方に配置される前後一対の上アーム８，９の上端が枢軸部１２，１３を介して枢着されて取付部材７から下方に吊り下げられており、上アーム８，９が枢軸部１２，１３を軸心として前後方向に揺動できるようになっている。尚、枢軸部１２，１３は取付部材７の内部に配置されており、外方から見たときに枢軸部１２，１３が隠蔽されている。
【００２１】
図２に示すように、上アーム８，９の下端は、棚板５の左右両端を前後方向に摺動自在に支持する支持体２０の上部に枢着されているとともに、この支持体２０の下部には、棚板５よりも下方に配置される下アーム１０，１１の上端が枢軸部１６，１７を介して枢着されており、下アーム１０，１１が枢軸部１６，１７を軸心として前後方向に揺動できるようになっている。また、この下段の下アーム１０，１１の下端は、棚板６の左右両端部に固着された支持体２１の側面に枢軸部１８，１９を介して枢着されており、これら上アーム８，９、下アーム１０，１１を回動させることで棚板５，６が昇降されるようになっている。
【００２２】
下段に配置される棚板６の下面前部には、棚板５，６を昇降させる際に使用者が把持できる凹溝状の手掛部２２が形成されており、使用者は、棚板５，６を使用するときには手掛部２２を把持して棚板５，６を降下させ、棚板５，６を使用しないときには、棚板５，６を上昇させることで、上下段の上アーム８，９、下アーム１０，１１が後述するアーム連動手段を介してそれぞれ逆方向に回動し、上下方向の中央に配置される支持体２０を中心として側面視で逆「く」の字状に屈曲してコンパクトに折り畳まることで、棚板５，６が吊戸棚３の底板４の下面に近接する非使用位置（図５に示される位置）に配置されるようになっている。
【００２３】
更に、図１及び図２に示すように、左右の上アーム９，９の上部間及び左右の下アーム１１，１１の下部間には、左右に配置される上アーム９，９、下アーム１１，１１同士を連結する左右方向を向くフレーム２３，２４が設けられており、このフレーム２３，２４が設けられることによって、棚板５，６の左右側に配置される左右の上アーム８，９及び左右の下アーム１０，１１が連動し、棚板５，６が左右にがたつくことなく、円滑に昇降されるようになっている。
【００２４】
吊戸棚３の底板４の下面には、昇降棚装置１が前記非使用位置に折り畳まれた状態において、フレーム２３の中央部が当接される当接金具２５がネジ（図示略）等を用いて取り付けられている。この当接金具２５には、上段側のフレーム２３との当接箇所に切欠部２５ａが凹設されており、棚板５，６が上昇したときにおいて、フレーム２３が当接金具２５の切欠部２５ａに嵌合して当接されることで上昇が規制され、棚板５、支持体２０、上アーム８，９及び下アーム１０，１１が吊戸棚３の底板４に激突しないようになっている。
【００２５】
図２及び図３に示すように、吊戸棚３の底板４の下面前部には、吊戸棚３の下方に配置されるキッチン台(図示略)等を照らす照明装置としての蛍光灯２６が配置されている。この蛍光灯２６は、長手が左右方向を向き、その左右幅が吊戸棚３の左右幅よりも短く形成されており、後に詳述するように、昇降棚装置１が非使用位置に位置したときに、該蛍光灯２６の左右側に支持体２０や互いに折り畳まれた上アーム８，９及び下アーム１０，１１が配置される空間部が形成されるようになっているとともに、蛍光灯２６の後側には、上段及び下段の２枚の棚板５，６が上下に重合された状態で配置されるようになっている（図５参照）。
【００２６】
図３に示すように、吊戸棚３の内部には、食器等を収納できる収納部２７が形成されており、この収納部２７の前面側には、該収納部２７の前面開口を開閉自在とする観音開式の前面板としての扉２８が設けられている。この扉２８の下端は、吊戸棚３の底板４の下面よりも下方に延設されており、図５に示すように、棚板５，６が上昇されて前記非使用位置に位置している状態において、これら棚板５，６を含む昇降棚装置１全体の前方側が扉２８によって覆われるため、昇降棚装置１及び吊戸棚３の見栄えが向上する。
【００２７】
昇降棚装置１について詳述すると、特に図３に示すように、上段及び下段の棚板５，６の左右に配置される上アーム８，９、下アーム１０，１１は、それぞれ前後方向に２本づつ配置されており、それぞれの上端及び下端が取付部材７及び支持体２０，２１の枢軸部１２〜１９に枢着されている。取付部材７及び支持体２０，２１に配置されるそれぞれの上アーム８，９、下アーム１０，１１の枢軸部１２〜１９は、上アーム８，９、下アーム１０，１１の上部側及び下部側ともに等間隔離間されて配置されており、互いの上アーム８，９、下アーム１０，１１が平行を成した状態で回動できる平行リンク機構として構成されている。尚、枢軸部１２〜１９は支持体２０，２１の内部に配置され、外方から見たときに枢軸部１２〜１９が隠蔽されている。
【００２８】
図３に示すように、左右に配置される取付部材７には、本実施例における付勢手段としてのガススプリング２９がそれぞれ配置されている。ガススプリング２９本体の前端部は、取付部材７の前方側に設けられた枢軸部３０に揺動自在に枢着されているとともに、ガススプリング２９の後端部、すなわち、ガススプリング２９本体に対して伸縮自在に嵌挿された伸縮ロッドの先端部は、前後一対の上アーム８，９のうちの後方側に配置されるアーム９の上端部近傍に取り付けられた枢軸金具３２の先端部に形成された枢軸部３１に枢着されており、この枢軸部３１は、アーム９の枢軸部１３から若干離れた位置に設けられている。
【００２９】
図３に示すように、棚板５，６が最大に降下された使用位置にあるときには、ガススプリング２９が枢着される枢軸部３１が、アーム９の上部に設けられた枢軸部１３よりも若干下方位置にあるため、ガススプリング２９は、アーム９が枢軸部１３を軸心として後方側に回動する方向、すなわち棚板５，６の降下させる方向に押圧するようになっている。そのため棚板５，６が使用位置まで下げられると、ガススプリング２９の付勢力によって棚板５，６が最大に降下した使用位置にて保持されるようになっている。
【００３０】
尚、アーム９の枢軸部１３とガススプリング２９の枢軸部３１とが、ガススプリング２９の押圧方向とほぼ同一直線上に位置（若しくは前記同一直線よりも若干下方側でもよい）しても、棚板５，６が使用位置にて保持される。更に尚、使用位置におけるガススプリング２９の押圧力が、棚板５，６を持上げるために必要な力よりも低く設定してある場合には、ガススプリング２９が枢着される枢軸部３１が、アーム９の上部に設けられた枢軸部１３よりも上方位置にある場合でも、棚板５，６が最大に降下した使用位置にて保持される。
【００３１】
そして、図４に示すように、使用者が手掛部２２を掴んで棚板６を上方に押し上げ、ガススプリング２９が枢着される枢軸部３１が枢軸部１３よりも若干上方に位置すると、ガススプリング２９は、アーム９が枢軸部１３を軸心として前方側に回動する方向、すなわち、棚板５，６を上昇させる方向に押圧付勢する。このガススプリング２９の押圧付勢力によって棚板５，６が上昇し、棚板５，６の上昇をガススプリング２９が補助するので、使用者が強く押し上げなくても棚板５，６を楽に上昇させることができる。
【００３２】
また、棚板５，６を下げるときにおいて、ガススプリング２９の付勢力により棚板５，６が自重によって急に下がるようなこともなくなり、ゆっくり降下するようになるため安全である。尚、本実施例では付勢手段としてガススプリング２９を用いているが、ガススプリング２９に限ることなく、ロータリー式ダンパーやコイルバネなどを用いて付勢手段を構成してもよい。
【００３３】
さらに、特に詳細な図示はしないが、ガススプリング２９本体に対する伸縮ロッドの摺動を、操作ボタン等の操作によって規制することができるロック機構付きのガススプリングを適用してもよく、このようにすることで、棚板５，６を適宜降下位置にて確実に保持することができるため、棚板５，６の高さ方向の使用位置を種々に変更することができる。
【００３４】
図２の部分拡大縦断正面図に示すように、棚板５の左右に配置される上段の支持体２０の内面には、前後方向に延びる摺動溝３３が形成されており、この摺動溝３３に棚板５の左右両端部が摺動可能に取り付けられ、棚板５は支持体２０に対して前後方向に摺動できるようになっている。尚、棚板５の左右両端部には、摺動溝３３の上下部に形成された係合片３３ａに係合される係合部５ａが前部付近に形成されており、棚板５が摺動溝３３から外れることが防止されている。
【００３５】
図３に示すように、棚板５とアーム９との間には、上アーム８，９の回動に伴って棚板５を前方または後方に摺動させるための本実施例における昇降棚連動手段としての摺動リンク部材３４が取り付けられている。この摺動リンク部材３４は、その下端が棚板５の左右両端部における後側に設けられた枢軸部３６を介して枢着されるとともに、上端が上アーム８，９のうちの後側のアーム９に形成された枢軸部３５に枢着されており、使用者が棚板６の手掛部２２を掴んで棚板５，６を図３に示す使用位置から上昇させると、図４及び図５に示すように、上アーム８，９が枢軸部１２，１３を軸心として前方側に回動し、その回動に伴い摺動リンク部材３４が枢軸部３５を軸心として後方側に回動されることで、棚板５が支持体２０に対して後方側に摺動移動される。
【００３６】
棚板５，６が降下されると、上アーム８，９が枢軸部１２，１３を軸心として後方側に回動し、その回動に伴い摺動リンク部材３４が枢軸部３５を軸心として前方側に回動されることで、棚板５が支持体２０に対して前方側に摺動移動される。
【００３７】
このように上アーム８，９の回動が摺動リンク部材３４を介して棚板５に伝達されるので、使用者が棚板５，６を昇降させると自動的に棚板５が支持体２０に対して前方または後方に摺動移動されるため、使用者が手動で棚板５を前方または後方に移動させる必要がなくなる。また、昇降棚連動手段として摺動リンク部材３４を適用することで、棚板５の前部が支持体２０の摺動溝３３に、摺動溝３３から後方に突出した後部が摺動リンク部材３４により安定して支持される。
【００３８】
また、棚板５，６が、底板４の下面に近接する非使用位置まで上昇された際に、上段及び下段の２枚の棚板５，６は、蛍光灯２６よりも後側に退避した退避位置にて吊戸棚３の下面に重ねて配置されるので、棚板５が蛍光灯２６の下方に配置して、該棚板５により蛍光灯２６の光が遮られることがない（図５参照）。
【００３９】
図３に示すように、上段の支持体２０の内部には、上段及び下段のいずれか一方の上アーム８，９、下アーム１０，１１の回動に伴って他方の上アーム８，９、下アーム１０，１１を回動させるための本実施例におけるアーム連動手段としての回動リンク部材３７が設けられている。
【００４０】
詳しくは、図３〜図５に示すように、前後一対の上アーム８，９のうち前側に配置されるアーム８は、その下端がアーム８の枢軸部１４より下方に延設され、この下端部には、回動リンク部材３７が枢着された枢軸部３８が設けられているとともに、前後一対の下アーム１０，１１のうち前側に配置されたアーム１０の上端部には、回動リンク部材３７が枢着される枢軸部３９が形成された枢軸金具４０が取り付けられている。
【００４１】
よって、使用者が棚板６の手掛部２２を掴んで図３に示す棚板５，６を上昇させると、図４及び図５に示すように、下段のアーム１０が枢軸部１６を軸心として後方側に回動され、その回動を回動リンク部材３７が上段のアーム８に伝達し、上段のアーム８が枢軸部１４を軸心として後方側に回動される。このように回動リンク部材３７によって上段及び下段の上アーム８，９、下アーム１０，１１が同時に回動されるので、上段の棚板５及び下段の棚板６が、それぞれ平行リンクとして構成された上アーム８，９、下アーム１０，１１によって水平状態を保たれたまま同時に昇降されるようになる。
【００４２】
以上説明したように、本実施例における昇降棚装置１にあっては、上段及び下段における前後にそれぞれ離間配置される前後一対の上アーム８，９及び下アーム１０，１１が平行リンクとして構成されているので、棚板５，６がその上面を水平状態に維持したまま安定して昇降される。また、上アーム８，９、下アーム１０，１１は互いに交差せずに回動されるので、使用者が誤って指を上アーム８，９間または下アーム１０，１１間に挟む虞も少なく、万一指を挟んだとしても、上アーム８，９、下アーム１０，１１同士が平行に配置された状態なので、強い力が指に加わることがない。
【００４３】
尚、上アーム８，９、下アーム１０，１１の枢軸部１４〜１９が支持体２０，２１の内部に配置されているので、昇降棚装置１の見栄えが向上するとともに、上アーム８，９、下アーム１０，１１が回動されたときに、強い力が加わりやすい枢軸部１４〜１９近傍に使用者の指を挟める虞もなくなる。
【００４４】
また、上段の棚板５は、該棚板５を支持する支持体２０を介して前後一対の上アーム８，９の下端に枢着されるとともに、棚板５は該支持体２０に対して前後方向に摺動可能に取り付けられているとともに、上アーム９と棚板５とが摺動リンク部材３４を介して連係されていることで、上アーム９が回動するとその回動力が摺動リンク部材３４を介して棚板５に伝達され、棚板５が昇降に応じて前方または後方に摺動して所定位置まで移動するようになっていることで、棚板５が降下して下方の使用位置に位置したときには、図３に示すように棚板５は支持体２０に対して前方に移動し、前方側に位置する使用者に対して棚板５が手前側に引き出された位置にて保持されるため、使用者からの使い勝手が向上する。
【００４５】
また、底板４の下面後部に上端が枢着された左右の前後一対の上アーム８，９の長手幅は、非使用位置において底板４の前後幅の範囲内に納まる長さに制限されるが、棚板５を降下させたときに該棚板５の後端が後側の壁面２に当接しても、支持体２０に対して棚板５を前方に移動させることができるため、上アーム８，９の回動範囲が棚板５により大きく制限されることなく、上アーム８，９の下端を極力下方まで降下させることができる。
【００４６】
また、棚板５が上方の非使用位置に位置したときには、図５に示すように、棚板５は摺動リンク部材３４の作用により支持体２０に対して後方に移動し、蛍光灯２６の後方の退避位置まで退避するため、棚板５により蛍光灯２６からの光が遮られることがないばかりか、使用者が手動で棚板５を移動させる手間が不要となる。
【００４７】
また、前後一対の上アーム８，９及び下アーム１０，１１は、底板４の下面左右側に配置され、棚板５，６の左右端部を昇降自在に支持するようになっているとともに、蛍光灯２６の左右幅は底板４の左右幅よりも短寸に形成され、非使用位置において蛍光灯２６の左右側にこれら上アーム８，９及び下アーム１０，１１の収容スペースが形成されていることで、非使用位置において上アーム８，９及び下アーム１０，１１が底板４の下面に極力近接するようにコンパクトに収容することができる。
【００４８】
さらに、棚板５，６の前後幅が底板４の前後幅の約半分に形成されているとともに、上アーム８，９の上端が底板４の下面後部に枢着されていることで、図３に示す使用位置において、蛍光灯２６の鉛直下方に棚板５，６が位置することなく、蛍光灯２６よりも後側に退避して壁面２寄り（後側）に位置するため、使用位置においても上方の蛍光灯２６からの光を遮ることがないとともに、蛍光灯２６の下方に配置されるキッチン台 (図示略)上にて作業する使用者の邪魔になることがない。
【実施例２】
【００４９】
次に、実施例２に係る昇降棚装置につき、図６及び図７を参照して説明する。尚、前記実施例に示される構成部分と同一構成部分に付いては同一符号を付して重複する説明を省略する。図６は、実施例２における昇降棚が降下した状態を示す縦断側面図であり、図７は、実施例２における昇降棚が折り畳まれた状態を示す縦断側面図である。以下、図６及び図７の紙面左側を昇降棚の正面側（前方側）として説明する。
【００５０】
図６に示すように、実施例２における昇降棚装置１’は、実施例１の２枚の棚板５，６を備える複数段式の昇降棚装置１と異なり、１枚の棚板５’を備える単段式の昇降棚装置１’となっている。この昇降棚装置１’に前後方向に２本づつ配置されている上アーム８，９は、前記実施例１と同様に、それぞれ上アーム８，９の上部及び下部が、取付部材７及び支持体２０の枢軸部１２〜１５に枢着されており、互いの上アーム８，９が平行を成した状態で回動できる平行リンク機構として構成されている。
【００５１】
図６に示す棚板５’の左右両端部に配置される支持体２０には、摺動溝３３が形成されており、この摺動溝３３には、支持体２０に対して前後方向に摺動移動できる摺動レール４１が取り付けられているとともに、この摺動レール４１には、棚板５’が該摺動レール４１に対して前後方向に摺動可能に取り付けられている。このように、摺動溝３３に対して摺動自在に取り付けられた摺動レール４１を介して棚板５’が支持体２０に取り付けられることで、棚板５’の後端が支持体２０の前端よりも前方になる位置（図６中２点鎖線で示される位置）まで棚板５’を前方側に摺動移動させることができるとともに、棚板５’の前端が支持体２０の後端よりも後方になる位置（図７中実線で示される位置）まで、棚板５’を後方側に摺動移動させることができる。
【００５２】
図６に示すように、棚板５’が使用位置にあるときに、使用者は棚板５’を前後方向に自在に移動させることで、使用者の使い易い位置まで前後移動させて棚板５’を配置することができる。また、棚板５’が上昇されて吊戸棚３の下面に近接する非使用位置にあるときに、使用者が棚板５’を後方に摺動移動させることで、棚板５’が蛍光灯２６に重ならないようになり、棚板５’によって蛍光灯２６の光が遮られることがなくなる。
【００５３】
以上、本発明の実施例を図面により説明してきたが、具体的な構成はこれら実施例に限られるものではなく、本発明の要旨を逸脱しない範囲における変更や追加があっても本発明に含まれる。
【００５４】
例えば、前記実施例１，２では、吊戸棚３の底板４の下面における前部に照明装置としての蛍光灯２６が配置されるとともに、左右の上アーム８，９の上端が吊戸棚３の底板４の下面後部に枢着され、非使用位置において棚板５，６が蛍光灯２６の後側に退避して配置されるようになっていたが、本発明はこれに限定されるものではなく、吊戸棚３の底板４の下面における後部に蛍光灯２６を配置するとともに、左右の上アーム８，９の上端を吊戸棚３の底板４の下面前部に枢着し、非使用位置において棚板５，６が蛍光灯２６の前方に退避するようにしてもよい。また、前後一対の上アーム８，９や下アーム１０，１１は、吊戸棚３の底板４の下面における左右いずれか一方にのみ設け、棚板５の左右いずれか一方の端部のみを支持するようにしてもよい。
【００５５】
また、前記実施例１，２では、昇降棚としての棚板５の前後幅寸法は、吊戸棚１の底板４の前後幅寸法の約半分の幅寸法とされていたが、棚板５は支持体２０を介して上アーム８，９の下端に枢着されていることで、棚板５に対する前後一対の上アーム８，９の下端の枢着位置が固定されないので、例えば棚板５の前後幅寸法を底板４の前後幅寸法とほぼ同寸法にし、棚板５を支持体２０に対して前後方向に摺動自在に設け、前後方向に幅広の棚板を前後一対の平行アームにて昇降自在に支持するようにしてもよい。
【００５６】
また、前記実施例１，２では、昇降棚として棚板が適用されていたが、このような板状部材からなる棚に限定されるものではなく、前後方向に並設される複数本のパイプ等からなる水切り棚等を適用してもよい。また、このような昇降棚を前後一対の平行アームを介して上下方向に２段以上設けてもよい。
【図面の簡単な説明】
【００５７】
【図１】実施例１における昇降棚装置を示す斜視図である。
【図２】実施例１における昇降棚装置を示す正面図である。
【図３】実施例１における昇降棚が降下した状態を示すＡ−Ａ縦断側面図である。
【図４】実施例１における昇降棚が折り畳まれる途中の状態を示す縦断側面図である。
【図５】実施例１における昇降棚が折り畳まれた状態を示す縦断側面図である。
【図６】実施例２における昇降棚が降下した状態を示す縦断側面図である。
【図７】実施例２における昇降棚が折り畳まれた状態を示す縦断側面図である。
【符号の説明】
【００５８】
１、１’          昇降棚装置
２                壁面
３                吊戸棚
４                底板
５，５’，６      棚板（昇降棚）
７                取付部材
８、９            上アーム(アーム)
１０，１１        下アーム(アーム)
１２〜１９        枢軸部
２０，２１        支持体
２２              手掛部
２６              蛍光灯(照明装置)
２８              扉(前面板)
２９              ガススプリング(付勢手段)
３０，３１        枢軸部
３３              摺動溝
３４              摺動リンク部材（昇降棚連動手段）
３５，３６        枢軸部
３７              回動リンク部材（アーム連動手段）
３８，３９        枢軸部（アーム連動手段）
４０              枢軸金具（アーム連動手段）
４１              摺動レール
【図１】
2007175333.tif 000003
【図２】
2007175333.tif 000004
【図３】
2007175333.tif 000005
【図４】
2007175333.tif 000006
【図５】
2007175333.tif 000007
【図６】
2007175333.tif 000008
【図７】
2007175333.tif 000009
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
吊戸棚の下面に設けられ、該吊戸棚の下方において上下２段の棚板を昇降自在に支持する昇降棚装置であって、
該昇降棚装置は、前記上下２段の棚板と、これら棚板の左右端側にそれぞれ配置され、上段の棚板を昇降自在に支持する前後一対の上アーム及び下段の棚板を昇降自在に支持する前後一対の下アームと、から構成され、前記前後一対のアームは互いに交差しないように配置され、前記上下２段の棚板を略水平に維持した状態で昇降自在に支持することを特徴とする昇降棚装置。
【請求項２】
吊戸棚の下面に設けられ、該吊戸棚の下方において上下２段の棚板を昇降自在に支持する昇降棚装置であって、
該昇降棚装置は、前記上下２段の棚板と、これら棚板の左右端側にそれぞれ配置され、上段の棚板を昇降自在に支持する前後一対の上アーム及び下段の棚板を昇降自在に支持する前後一対の下アームと、から構成され、前記上アームと下アームは連動してそれぞれ逆方向に回動し、側面視で逆「く」の字状に屈曲して折り畳まれることを特徴とする昇降棚装置。
【請求項３】
吊戸棚の下面に設けられ、該吊戸棚の下方において上下２段の棚板を昇降自在に支持する昇降棚装置であって、
該昇降棚装置は、前記２段の棚板と、これら棚板の左右端側にそれぞれ配置され、上段の棚板を昇降自在に支持する前後一対の上アーム及び下段の棚板を昇降自在に支持する前後一対の下アームと、から構成され、前記下段の棚板の下面前部には、両棚板を昇降させるための手掛部が形成されていることを特徴とする昇降棚装置。
【請求項４】
前記上段の棚板は、該棚板を支持する支持体を介して前記一対の上アームの下端に枢着されるとともに、該上段の棚板は前記支持体に対して前後方向に摺動可能に取り付けられていることを特徴とする請求項１ないし３のいずれかに記載の昇降棚装置。
【請求項５】
前記複数の上アーム及び下アームの回動に伴って前記上段の棚板を前方または後方に摺動させる昇降棚連動手段が設けられていることを特徴とする請求項４に記載の昇降棚装置。
【請求項６】
前記吊戸棚の下面に、該吊戸棚の下方を照らす照明装置が設けられるとともに、前記上下２段の棚板の前後幅が前記吊戸棚の下面の前後幅よりも短寸とされており、前記上下２段の棚板は、前記吊戸棚の下面に近接する非使用位置に位置した状態において、前記照明装置の後方または前方に退避可能であることを特徴とする請求項４または５に記載の昇降棚装置。
【請求項７】
前記上下２段の棚板が上昇する方向に前記上下のアームを回動付勢する付勢手段が設けられていることを特徴とする請求項１ないし６のいずれかに記載の昇降棚装置。
【請求項８】
前記吊戸棚の前面板の下部を前記吊戸棚の下面よりも下方に延設し、前記上下２段の棚板が前記吊戸棚の下面に近接する非使用位置に位置した状態において、前記昇降棚装置の前方側が前記前面板により覆われるようにしたことを特徴とする請求項１ないし７のいずれかに記載の昇降棚装置。
【手続補正２】
【補正対象書類名】明細書
【補正対象項目名】０００８
【補正方法】変更
【補正の内容】
【０００８】
前記課題を解決するために、本発明の請求項１に記載の昇降棚装置は、吊戸棚の下面に設けられ、該吊戸棚の下方において上下２段の棚板を昇降自在に支持する昇降棚装置であって、該昇降棚装置は、前記上下２段の棚板と、これら棚板の左右端側にそれぞれ配置され、上段の棚板を昇降自在に支持する前後一対の上アーム及び下段の棚板を昇降自在に支持する前後一対の下アームと、から構成され、前記前後一対のアームは互いに交差しないように配置され、前記上下２段の棚板を略水平に維持した状態で昇降自在に支持することを特徴としている。
この特徴によれば、昇降棚を昇降させる際に前後のアームが交差せずに回動するので、使用者が指をアーム間に挟む虞も少なく、上下２段の棚板を略水平に維持した状態で昇降することができる。
【手続補正３】
【補正対象書類名】明細書
【補正対象項目名】０００９
【補正方法】変更
【補正の内容】
【０００９】
本発明の請求項２に記載の昇降棚装置は、吊戸棚の下面に設けられ、該吊戸棚の下方において上下２段の棚板を昇降自在に支持する昇降棚装置であって、
該昇降棚装置は、前記上下２段の棚板と、これら棚板の左右端側にそれぞれ配置され、上段の棚板を昇降自在に支持する前後一対の上アーム及び下段の棚板を昇降自在に支持する前後一対の下アームと、から構成され、前記上アームと下アームは連動してそれぞれ逆方向に回動し、側面視で逆「く」の字状に屈曲して折り畳まれることを特徴とする特徴としている。
この特徴によれば、上アームと下アームを連動させることで上、下のアームが同時に回動されるので、上下２段の棚板を容易に昇降でき、かつ側面視で逆「く」の字状に屈曲して折り畳まれるので、上下２段の棚板が吊戸棚の底板の下面に近接する非使用位置に配置可能である。
【手続補正４】
【補正対象書類名】明細書
【補正対象項目名】００１０
【補正方法】変更
【補正の内容】
【００１０】
本発明の請求項３に記載の昇降棚装置は、吊戸棚の下面に設けられ、該吊戸棚の下方において上下２段の棚板を昇降自在に支持する昇降棚装置であって、
該昇降棚装置は、前記２段の棚板と、これら棚板の左右端側にそれぞれ配置され、上段の棚板を昇降自在に支持する前後一対の上アーム及び下段の棚板を昇降自在に支持する前後一対の下アームと、から構成され、前記下段の棚板の下面前部には、両棚板を昇降させるための手掛部が形成されていることを特徴としている。
この特徴によれば、下段の棚板に設けた手掛部で上下段の棚板を昇降させることができる。
【手続補正５】
【補正対象書類名】明細書
【補正対象項目名】００１１
【補正方法】変更
【補正の内容】
【００１１】
本発明の請求項４に記載の昇降棚装置は、請求項１ないし３のいずれかに記載の昇降棚装置であって、前記上段の棚板は、該棚板を支持する支持体を介して前記一対の上アームの下端に枢着されるとともに、該上段の棚板は前記支持体に対して前後方向に摺動可能に取り付けられていることを特徴としている。
この特徴によれば、上段の棚に対する上アームの下端の枢着位置が固定されることがないので、上段の棚の前後幅や上アームの回動範囲等が制限されることを極力回避することができるばかりか、上段の棚板を使用者が所望する位置まで前後移動させることができる。
【手続補正６】
【補正対象書類名】明細書
【補正対象項目名】００１２
【補正方法】変更
【補正の内容】
【００１２】
本発明の請求項５に記載の昇降棚装置は、請求項４に記載の昇降棚装置であって、前記複数の上アーム及び下アームの回動に伴って前記上段の棚板を前方または後方に摺動させる昇降棚連動手段が設けられていることを特徴としている。
この特徴によれば、上下のアームの回動が昇降棚連動手段を介して上段の棚板に伝達されることで、上段の棚板が昇降に応じて前方または後方に摺動して所定位置まで移動するため、使用者が手動で移動させる手間が不要となる。
【手続補正７】
【補正対象書類名】明細書
【補正対象項目名】００１３
【補正方法】変更
【補正の内容】
【００１３】
本発明の請求項６に記載の昇降棚装置は、請求項４または５に記載の昇降棚装置であって、前記吊戸棚の下面に、該吊戸棚の下方を照らす照明装置が設けられるとともに、前記上下２段の棚板の前後幅が前記吊戸棚の下面の前後幅よりも短寸とされており、前記上下２段の棚板は、前記吊戸棚の下面に近接する非使用位置に位置した状態において、前記照明装置の後方または前方に退避可能であることを特徴としている。
この特徴によれば、上下段の棚板が非使用位置に位置したときに、両棚板が照明装置の前方または後方に退避させることで、昇降棚装置による照明装置からの光が遮られることを防止できる。
【手続補正８】
【補正対象書類名】明細書
【補正対象項目名】００１４
【補正方法】変更
【補正の内容】
【００１４】
本発明の請求項７に記載の昇降棚装置は、請求項１ないし６のいずれかに記載の昇降棚装置であって、前記上下２段の棚板が上昇する方向に前記上下のアームを回動付勢する付勢手段が設けられていることを特徴としている。
この特徴によれば、上下２段の棚板の昇降を付勢手段が補助するようになり、使用者が力を入れなくても棚板を容易に昇降できるようになる。
【手続補正９】
【補正対象書類名】明細書
【補正対象項目名】００１５
【補正方法】変更
【補正の内容】
【００１５】
本発明の請求項８に記載の昇降棚装置は、請求項１ないし７のいずれかに記載の昇降棚装置であって、前記吊戸棚の前面板の下部を前記吊戸棚の下面よりも下方に延設し、前記上下２段の棚板が前記吊戸棚の下面に近接する非使用位置に位置した状態において、前記昇降棚装置の前方側が前記前面板により覆われるようにしたことを特徴としている。
特徴によれば、非使用位置において昇降棚装置の前方側が前面板により覆われるので、吊戸棚の見栄えが損なわれることがない。